(57)【特許請求の範囲】
【請求項１】
キャビネットの内部に着脱および前後方向の進退を可能に格納される引出し本体と、この引出し本体の上部に搭載されるトレーと、を備えるトレー付き引出しにおいて、
前記引出し本体は、前後方向で互いに対向する前板および後板と、左右方向で互いに対向し前記前板および後板に連繋される左右一対の側板と、前記前板，後板および左右一対の側板からなる環状体に連繋される底板と、を有する上端開口有底の箱からなり、前記前板と前記左右一対の側板の後端部との間に設けられ左右方向で互いに対向し前後方向に水平にのびる左右一対のガイドレールを備えており、
前記トレーは、前記左右一対のガイドレールに直接跨がって前後方向の進退を可能、かつ、左右方向の揺動規制を可能に載せられており、前部に偏って設けた左右一対の係合部材が前記左右一対のガイドレールに前後方向の進退を可能、かつ、上動を不能に係合していることを特徴とするトレー付き引出し。
【請求項２】
請求項１に記載したトレー付き引出しにおいて、
前記前板の左右方向両端部に同じ高さで前記左右一対のガイドレールの前端部を支持する前端支持部が設けられ、前記左右一対の側板の後端部に前記前端支持部と同じ高さで前記左右一対のガイドレールの後端部を支持する後端支持部が設けられているトレー付き引出し。
【請求項３】
請求項１または請求項２に記載したトレー付き引出しにおいて、
前記トレーの左右方向両端部に、前記左右一対のガイドレールに前後方向の進退を可能に載せられる踏部が設けられ、この踏部のそれぞれの内端から垂れ下がって設けた揺動規制部が前記左右一対のガイドレールの内端に近接しているトレー付き引出し。
【請求項４】
請求項１ないし請求項３のいずれか１項に記載したトレー付き引出しにおいて
前記係合部材は、前記トレーに設けた左右方向の係合孔に着脱可能に係合されるトレー付き引出し。
【請求項５】
請求項４に記載したトレー付き引出しにおいて、
前記係合部材は、前記左右一対のガイドレールの外端に近接する縦片と、この縦片から横向きにのびて前記係合孔に係脱される係合部と、この係合部の下側で前記縦片から横向きにのびて前記左右一対のガイドレールの下端に近接するフック部と、を備えるトレー付き引出し。
【請求項６】
請求項１ないし請求項５のいずれか１項に記載したトレー付き引出しにおいて、
前記トレーの後端部と前記引出し本体後板の後端とに振り分けて、永久磁石と、この永久磁石に着脱可能な磁性金属と、が各別に配備され、永久磁石による磁性金属の吸着でトレーを進退ストローク前端で停止させて、引出し本体の上端開口部を最小開度に設定保持するように構成されているトレー付き引出し。
【発明の詳細な説明】
【技術分野】
【０００１】
本発明は、システムキッチンなどに備わるキャビネットに着脱および出し入れを可能に格納される引出し本体の上部に、前後方向の進退を可能にトレーを搭載したトレー付き引出しに関する。
【背景技術】
【０００２】
キャビネットに着脱および出し入れを可能に格納される引出し本体の上部に、前後方向の進退を可能にトレーを搭載したトレー付き引出しとして、特許文献１に記載のものが提供されている。
【０００３】
このトレー付き引出しは、キャビネットの側壁に付設された左右一対のレールに沿って引出本体が着脱および前後方向の進退を可能に格納される。この引出し本体は上部にトレーを搭載しており、このトレーは、引出し本体に設けられて前後方向にのびる左右一対のガイドレールを案内に進退することで、引出し本体の上端開口部が使用に応じて拡縮可能となっている。
【０００４】
ところが、トレーは、左右一対のガイドレールの間に宙吊り状態で介在しているので、幅方向の大きさ（左右方向の大きさ）が小さく制限される。その結果、トレーは小型化されて収納容量が小さくなる。
【０００５】
また、トレーは、その左右両側外面それぞれの前部に偏って設けた２個のローラにより、各側面毎で各ガイドレールに２点支持された片持宙吊り構造で引出し本体の上部に搭載されている。このため、前後方向の進退時に生じる左右方向の揺動幅が２点支持部より後方へ離れるにしたがって大きくなり、スムーズな前後方向の進退が妨げられる。
【０００６】
さらに、左右一対のガイドレールは、前側の一部にのみ水平部分を有しているものの、それ以外は後側に向かって下がり勾配で傾斜しているので、トレーを進退ストローク前・後端の間の任意の位置で停止させて、引出しの上端開口部の開度を任意の大きさに設定して保持することが困難であるばかりか、進退ストローク後端に近付くにつれて後退速度が加速されるので、進退ストローク後端で急停止してトレー収納物に悪影響をおよぼすことが懸念される。
【先行技術文献】
【特許文献】
【０００７】
【特許文献１】特開２００２−２３８６８３号公報
【発明の概要】
【発明が解決しようとする課題】
【０００８】
本発明は、上記の実情に鑑みてなされたもので、トレーの収納容量の拡大とスムーズな前後方向の進退が確保され、引出しの上端開口部の開度を任意の大きさに設定して保持することが容易であり、かつ、トレーの急停止が避けられて収納物を保護できるトレー付き引出しの提供を目的とするものである。
【課題を解決するための手段】
【０００９】
前記目的を達成するために、本発明に係るトレー付き引出しは、キャビネットの内部に着脱および前後方向の進退を可能に格納される引出し本体と、この引出し本体の上部に搭載されるトレーと、を備えるトレー付き引出しにおいて、
前記引出し本体は、前後方向で互いに対向する前板および後板と、左右方向で互いに対向し前記前板および後板に連繋される左右一対の側板と、前記前板，後板および左右一対の側板からなる環状体に連繋される底板と、を有する上端開口有底の箱からなり、前記前板と前記左右一対の側板の後端部との間に設けられ左右方向で互いに対向し前後方向に水平にのびる左右一対のガイドレールを備えており、
前記トレーは、前記左右一対のガイドレールに直接跨がって前後方向の進退を可能、かつ、左右方向の揺動規制を可能に載せられており、前部に偏って設けた左右一対の係合部材が前記左右一対のガイドレールに前後方向の進退を可能、かつ、上動を不能に係合していることを特徴としている。
【００１０】
前記構成のトレー付き引出しによると、トレーは、引出し本体の左右一対のガイドレールに直接跨がって載せられているので、その左右方向の大きさは左右一対のガイドレールのスパンよりも拡大して設定することが可能となり、トレーは大型化されて収納容量が大きくなる。また、左右一対のガイドレールが、引出し本体の前板と左右一対の側板の後端部との間に設けられ左右方向で互いに対向し前後方向に水平にのびていることと、トレーが前記左右一対のガイドレールに直接跨がって前後方向の進退を可能、かつ、左右方向の揺動規制を可能に載せられていることとの協働によって、トレーのスムーズな前後方向の進退が確保され、小さい押し引き操作力でトレーを進退させることが可能であり、かつ、押し引き操作力の解除と同時にトレーが停止するので、引出し本体の上端開口部の開度を任意の大きさに設定して保持することが容易となって使用性が向上するばかりか、トレーの急停止が避けられることで収納物の保護が可能となる。さらに、左右一対の係合部材が左右一対のガイドレールに前後方向の進退を可能、かつ、上動を不能に係合していることにより、トレーの前後方向の進退時における上動が抑制されて引出し本体からの脱落が防止されるとともに、トレーの後退に伴う後ろ下がりの傾きによる引出し本体からの脱落や不本意な振動による引出し本体からの脱落も防止できる。
【００１１】
前記前板の左右方向両端部に同じ高さで前記左右一対のガイドレールの前端部を支持する前端支持部が設けられ、前記左右一対の側板の後端部に前記前端支持部と同じ高さで前記左右一対のガイドレールの後端部を支持する後端支持部が設けられている。これによれば、左右一対のガイドレールは、前記前板と前記左右一対の側板の後端部との間に設けられて、左右方向で互いに対向し前後方向に水平にのびる構造となる。
【００１２】
前記トレーの左右方向両端部に、前記左右一対のガイドレールに前後方向の進退を可能に載せられる踏部が設けられ、この踏部のそれぞれの内端から垂れ下がって設けた揺動規制部が前記左右一対のガイドレールの内端に近接している。このように、左右一対のガイドレールに踏部が前後方向のスライドを可能に載せられることで、トレーのスムーズな進退が確保され、揺動規制部が左右一対のガイドレールの内端に近接していることにより、トレー進退時における左右方向の揺動を避けることが可能となる。
【００１３】
前記係合部材は、前記トレーに設けた左右方向の係合孔に着脱可能に係合される。これによれば、係合部材を取り外すことで、引出し本体へのトレーの搭載および引出し本体とトレーとの分離が容易となる。
【００１４】
前記係合部材は、前記左右一対のガイドレールの外端に近接する縦片と、この縦片から横向きにのびて前記係合孔に係脱される係合部と、この係合部の下側で前記縦片から横向きにのびて前記左右一対のガイドレールの下端に近接するフック部と、を備えている。これによると、トレーの前後方向の進退時における上動を抑制して、引出し本体からトレーが脱落するのを防止できる。また、トレーの後退に伴う後ろ下がりの傾きおよびこの後ろ下がりの傾きによって生じる引出し本体からのトレーの脱落も防止可能となる。
【００１５】
前記トレーの後端部と前記引出し本体後板の後端とに振り分けて、永久磁石と、この永久磁石に着脱可能な磁性金属と、が各別に配備され、永久磁石による磁性金属の吸着でトレーを進退ストローク前端で停止させて、引出し本体の上端開口部を最小開度に設定保持するように構成されている。これによると、トレーが進退ストローク前端で停止して、引出し本体の上端開口部の開度が最小開度に設定保持されている状態の確保は、人力により引出し本体に制動力を作用させ、かつ、トレーに後退力を作用させて、永久磁石から磁性金属を離脱させない限り可能である。このため、引出し本体の上端開口部が最小開度に設定されて、トレー付き引出しがキャビネットの格納空間に格納されている状態において、トレー付き引出しが格納空間から引き出され、最大引き出し位置で急停止した場合の衝撃の反動によるトレーの不本意な後退が防止されて収納品の保護を図ることが可能となる。
【発明の効果】
【００１６】
本発明に係るトレー付き引出しによれば、トレーの収納容量の拡大とスムーズな前後方向の進退が確保され、引出し本体の上端開口部の開度調整が容易であるとともに、トレーの急停止が避けられて収納物を保護することが可能となる。
【図面の簡単な説明】
【００１７】
【図１】本発明に係るトレー付き引出しの一実施形態を前側から見た斜視図である。
【図２】化粧板を除去して示すトレー付き引出しの拡大正面図である。
【図３】トレー付き引出しの拡大背面図である。
【図４】トレー付き引出しの右側面図である。
【図５】引出し本体を右側後方から見た拡大斜視図である。
【図６】引出し本体を左側後方から部分的に見た拡大斜視図である。
【図７】トレーを上側前方ら見た拡大斜視図である。
【図８】トレーを下側前方から見た拡大斜視図である。
【図９】トレーに係合部材を装着した状態を示す拡大斜視図である。
【図１０】引出し本体のガイドレールとトレー前端部および係合部材との関係を示す拡大斜視図である。
【図１１】係合部材の説明図であり、図１１（ａ）は左右一対の係合部材の拡大斜視図，図１１（ｂ）は左側の係合部材とトレーとの関係を拡大して示す縦断面図，図１１（ｃ）は左側の係合部材とトレーおよび引出し本体の左側ガイドレールとの関係を示す拡大縦断面図である。
【図１２】図１２は、キャビネットの引出し用レールと引出し本体の掛合部材との関係を示す説明図であり、図１２（ａ）は右側掛合部材の拡大正面図，図１２（ｂ）は右側引出し用レールの拡大正面図，図１２（ｃ）は右側掛合部材の後端側を右側引出し用レールの先端側に組み付ける状態を説明する拡大右側面図，図１２（ｄ）は右側引出し用レールに右側掛合部材が組み付けられた状態を拡大して示す右側面図である。
【発明を実施するための最良の形態】
【００１８】
以下、本発明に係るトレー付き引出しの好ましい実施形態を図面に基づいて説明する。
図１は本発明に係るトレー付き引出しの一実施形態を前側から見た斜視図、図２は化粧板を除去して示すトレー付き引出しの拡大正面図、図３はトレー付き引出しの拡大背面図、図４はトレー付き引出しの右側面図、図５は引出し本体を右側後方から見た拡大斜視図、図６は引出し本体を左側後方から部分的に見た拡大斜視図である。
【００１９】
図１において、トレー付き引出し１は、引出し本体２と、この引出し本体２の上部に前後方向の進退を可能に搭載されたトレー３と、を備えており、引出し本体２はキャビネット４の格納空間４ａに着脱および前後方向（矢印Ｆ、Ｂ）の進退を可能に格納される。
【００２０】
図１〜図６において、引出し本体２は、樹脂製のもので、前後方向に離隔して互いに対向する前板２０および後板２１と、左右方向に離隔して互いに対向し前板２０および後板２１に連繋される左右一対の側板２２，２２と、前板２０、後板２１および左右一対の側板２２，２２からなる環状体の下端開口部を閉じる底板２３と、を有する上端開口有底角型箱状のもので、前板２０と左右一対の側板２２，２２の後端部２２ａとの間に設けられて、左右方向で互いに対向し，かつ、前後方向に水平にのびる左右一対のガイドレール２４，２４を備えている。このガイドレール２４，２４は、たとえば、アルミ系合金製の丸棒（丸パイプ）によって構成されている。前板２０の前面には化粧板２０Ａを設けてある。この化粧板２０Ａは、引出し本体２がキャビネット４の格納空間４ａに格納された場合、格納空間４ａの前端開口部を閉塞して、格納空間４ａを目視不能に隠蔽するとともに、引出し本体２を前後方向に進退させる場合に把手として機能する。
【００２１】
前板２０と後板２１の高さは同等に設定され、前板２０には、その上端部を左右方向両側へ少し張り出して一対の前端支持部２５，２５が設けられ、この前端支持部２５，２５に左右一対のガイドレール２４，２４の先端部が挿し込まれて強固に支持されている。
【００２２】
後板２１の上端部には、左右方向の大きさが前板２０の左右方向の大きさよりも小さい幅狭部２１Ａが形成されており、この幅狭部２１Ａの後端面における左右方向中央部（幅方向中央部）には、鋼板からなる磁性金属２１ｂを後端に臨ませて嵌着した衝合部２１Ｂが後方に向けて突設されている。
【００２３】
左右一対の側板２２，２２とガイドレール２４，２４は、上下で互いに対向しており、側板２２，２２の前端部２２ｂは、前端支持部２５，２５の下端にまで立ち上がって前板２０の左右両端に連繋され、側板２２，２２の後端部２２ａは、前端部２２ｂと略同レベルまで立ち上がって後板２１の幅狭部２１Ａの下側で後板２１の左右両端に連繋されている。
【００２４】
左右一対の側板２２，２２における後端部２２ａの上端部には、支持座２６ａが一体成形により設けられ、この支持座２６ａのフラットな上端支持面に投影側面形状Ｌ字形で金属製の支持板２６ｂが載置固定される。詳しくは、Ｌ字形支持板２６ｂの縦辺を前向きにして横片が支持座２６ａのフラットな上端支持面に載置固定される。この支持座２６ａと支持板２６ｂとで、前記前端支持部２５，２５と同じ高さにある後端支持部２６を構成し、左右一対のガイドレール２４，２４は、その後端が後端支持部２６における支持板２６ｂの縦辺に対して突き合わせ構造により強固に支持されている。これにより、左右一対のガイドレール２４，２４は、前板２０と左右一対の側板２２，２２の後端部２２ａとの間に設けられ、左右方向で互いに対向し前後方向に水平にのびた状態となる。また、各後端支持部２６の左右方向の内端と後板２１における幅狭部２１Ａの左右方向（幅方向）の外端との間に、上下にのびる左右一対のスリット２７，２７が形成されている。
【００２５】
引出し本体２における左側の側板２２の下端部には、前後方向全長に水平にのびて左側掛合部材６Ｌが取り付けられ、右側の側板２２の下端部には、前後方向全長に水平にのびて右側掛合部材６Ｒが取り付けられる（ただし、図１，図５では右側掛合部材６Ｒの一部のみを示し、図６では左側掛合部材６Ｌの一部のみを示している）。各掛合部材６Ｌ，６Ｒは、アルミ合金製のＺ形長尺材からなり、左側掛合部材６Ｌの上方フランジ６０を左外方に指向させてウエブ６１を左側の側板２２に適宜固着するとともに、下方フランジ６２は引出し本体２の下端に回り込ませて適宜固着される。また、右側掛合部材６Ｒの上方フランジ６０を右外方に指向させてウエブ６１を右側の側板２２に適宜固着するとともに、下方フランジ６２は引出し本体２の下端に回り込ませて適宜固着される。
【００２６】
つぎに、トレー３について説明する。
図７はトレー３を上側前方から見た拡大斜視図、図８はトレー３を下側前方から見た拡大斜視図、図９はトレー３に係合部材を装着した状態を示す拡大斜視図、図１０は引出し本体のガイドレールとトレー３前端部および係合部材との関係を示す拡大斜視図である。
【００２７】
図７，図９，図１０において、トレー３は樹脂製のもので、左右方向の大きさは前記引出し本体２の左右方向の大きさと略等しく、前後方向の大きさは前記引出し本体２の前後方向の大きさよりも十分に小さい角型皿状の本体部３０と、この本体部３０の左右方向両端部下面に左右方向で互いに対向して下に向き、かつ、前後方向全長にのびる断面角形の左右一対の突条３１，３１とを備えている。
【００２８】
各突条３１，３１は、その下面に、左右一対のガイドレール２４，２４に前後方向の進退を可能に載せられる下向きの踏部３１ａと、この踏部３１ａの左右方向の内端から垂れ下がり左右一対のガイドレール２４，２４の内端に近接する揺動規制部３１ｂと、を有しており、各突条３１，３１の鉛直な外側面３１ｃ間の左右方向の大きさは、本体部３０の左右方向の大きさよりも僅かに小さく設定されていて、各突条３１，３１の鉛直な外側面３１ｃの上端と本体部３０の左右方向の両端面の下端は、下向きの段差３１ｄを介して連繋されている。なお、本実施形態において、各突条３１，３１の踏部３１ａは、左右一対のガイドレール２４，２４との接触面積を小さくし、より一層スムーズな進退を可能とするため、図８に示すように、格子状に形成してある。
【００２９】
図７，図８に示すように、各突条３１，３１には、その前端部近傍を左右方向に水平貫通した角形断面の係合孔３１ｅが設けられているとともに、係合孔３１ｅの後側に近接し、かつ、揺動規制部３１ｂの内端と本体部３０の底板３０ａ下面とに連繋された左右一対のストッパ３２，３２が下向きに設けられ、底板３０ａ下面の後端部における左右方向の中央部には、前記後板２１上端部の幅狭部２１Ａに突設した衝合部２１Ｂの磁性金属２１ｂに対応する永久磁石３３ａを、下端部において前端に臨ませて嵌着したストッパ３３Ａが設けられている。
【００３０】
図１１（ａ）は左右一対の係合部材の拡大斜視図，図１１（ｂ）は左側の係合部材とトレー３との関係を拡大して示す縦断面図，図１１（ｃ）は左側の係合部材とトレー３および引出し本体２の左側ガイドレールとの関係を拡大して示す縦断面図である。
【００３１】
図１１（ａ）において、樹脂製の左側係合部材５Ｌおよび樹脂製の右側係合部材５Ｒは、鉛直な縦片５０と、縦片５０の前側下端部から内方へ略水平にのびるフック部５１と、縦片５０の後側上端近傍から内方へ略水平にのびる係合部５２と、を備え、係合部５２は、上側に位置して内方へ略水平に短くのびる補助片５２ａと、この補助片５２ａの下側で補助片５２ａに対向して内方へ略水平に長くのびる係合片５２Ｂとを有し、係合片５２Ｂの内端部に下向きの係合爪５２ｂが形成されている。
【００３２】
図１１（ｂ）に示すように、トレー３における左側の突条３１に設けた係合孔３１ｅには、左側係合部材５Ｌが着脱可能に係合される。つまり、補助片５２ａは係合孔３１ｅの上面に当接した状態で挿入され、係合片５２Ｂは係合孔３１ｅの下面に当接し、かつ、係合爪５２ｂが左側の突条３１の鉛直な内側面に係合した状態で貫通されるとともに、縦片５０の上端が下向きの段差３１ｄに衝合した「がたつき」のない状態で係合される。図７に示すトレー３における右側の突条３１に設けた係合孔３１ｅには、前記左側係合部材５Ｌと同様の形態で右側係合部材５Ｒが着脱可能に係合される。
【００３３】
図１１（ｂ）に示すような左側の突条３１の係合孔３１ｅに対する左側係合部材５Ｌの係合は、係合部５２における係合片５２Ｂの係合爪５２ｂを突条３１の外側面３１ｃ側から係合孔３１ｅに対応させて、鉛直な縦片５０を突条３１に向けて押圧するワンタッチ操作により簡単に行うことが可能であり、図７に示す右側の突条３１の係合孔３１ｅに対する図１１（ａ）の右側係合部材５Ｒの係合も、前記左側係合部材５Ｌの係合と同様に簡単に行うことができる。
【００３４】
つぎに、引出し本体２の上部にトレー３を搭載する手順について説明する。
まず、図７，図８に示すように、左側係合部材５Ｌおよび右側係合部材５Ｒを取り外したトレー３を準備する。左側係合部材５Ｌの取り外しは、図１１（ｂ）において、フック部５１の内端Ｐに指先を当てがい矢印Ｒ方向に力を加えると、縦片５０の上端を支点にフック部５１および縦片５０が矢印Ｒ方向に弾性変形し、これに追従する係合片５２Ｂの弾性変形により、係合爪５２ｂと左側の突条３１の鉛直な内側面との係合が解かれることでトレー３から左側係合部材５Ｌを簡単に取り外すことができる。なお、右側係合部材５Ｒも左側係合部材５Ｌと同様の操作でトレー３から取り外すことができる。
【００３５】
左側係合部材５Ｌおよび右側係合部材５Ｒが取り外されたトレー３は、ストッパ３３Ａを引出し本体２の後板２１よりも後方に位置させた状態で、引出し本体２の上方から下降させ、左右一対の突条３１，３１それぞれの踏部３１ａを左右一対のガイドレール２４，２４に載せる。これにより、揺動規制部３１ｂは、引出し本体２側の左右一対のスリット２７，２７に挿入されるとともに、引出し本体２の領域内で左右一対のガイドレール２４，２４の内端に近接する。
【００３６】
続いて、前述のワンタッチ操作により、左側係合部材５Ｌおよび右側係合部材５Ｒをトレー３に取り付ける。これにより、左側係合部材５Ｌは、図１，図２，図３，図４，図１０および図１１（ｃ）に示すように、フック部５１が左側のガイドレール２４の下端に近接して、トレー３を前後方向のスライド可能、かつ、上動を不能に左側のガイドレール２４に係合されるとともに、右側係合部材５Ｒは、図１，図２，図３，図４および図１０に示すように、フック部５１が右側のガイドレール２４の下端に近接して、トレー３を前後方向のスライド可能、かつ、上動を不能に右側のガイドレール２４に係合されて、引出し本体２の上部に前後方向の進退を可能にトレー３を搭載したトレー付き引出し１が構成される。
【００３７】
前記構成のトレー付き引出し１によれば、トレー３は、本体部３０に備わる左右一対の突条３１，３１下面の踏部３１ａが引出し本体２の左右一対のガイドレール２４，２４に直接跨がって載せられているので、その左右方向の大きさはガイドレール２４，２４のスパンよりも拡大して設定することが可能となり、トレー３は大型化されて収納容量が大きくなる。
【００３８】
左右一対のガイドレール２４，２４の前後両端部は、前板２０の左右方向両端部に同じ高さで設けられた前端支持部２５，２５と、左右一対の側板２２，２２の後端部２２ａであって前記側板２２，２２の後方の上端縁に前端支持部２５，２５と同じ高さで設けられた後端支持部２６とで支持されて、左右方向で互いに対向し前後方向に水平にのびていることと、トレー３の前記踏部３１ａが左右一対のガイドレール２４，２４に直接跨がって前後方向のスライドを可能に載せられていることおよびトレー３の揺動規制部３１ｂがガイドレール２４，２４の内端に近接して左右方向の揺動規制を可能としていることとの協働によって、トレー３のスムーズな前後方向の進退が確保される。このため、小さい押し引き操作力でトレー３を進退させることが可能であり、かつ、押し引き操作力の解除と同時にトレー３が停止するので、引出し本体２の上端開口部開度の設定保持が容易となって使用性が向上するばかりか、トレー３の急停止が避けられることで収納物の保護が可能となる。
【００３９】
引出し本体２の上端開口部の最小開度は、ストッパ３３Ａの永久磁石３３ａが衝合部２１Ｂの磁性金属２１ｂを吸着して、トレー３が進退ストローク前端で停止することにより設定保持され、引出し本体２の上端開口部の最大開度は、左右一対のストッパ３２，３２が後板２１の幅狭部２１Ａに衝合して、トレー３が進退ストローク後端で停止することにより設定保持されるとともに、最小開度と最大開度の間の任意の開度は、トレー３を進退ストローク前・後端の任意の位置で停止させることで設定保持することができるので、引出し本体２に対する収納品の出し入れに好適な上端開口部の開度を容易に確保して、使用性を向上させることが可能となる。
【００４０】
トレー３が進退ストローク前端で停止して、引出し本体２の上端開口部の開度が最小開度に設定保持されている状態の確保は、人力により引出し本体２に制動力を作用させ、かつ、トレー３に後退力を作用させて、永久磁石３３ａから磁性金属２１ｂを離脱させない限り可能である。このため、引出し本体２の上端開口部が最小開度に設定されて、トレー付き引出し１がキャビネット４の格納空間４ａに格納されている状態において、トレー付き引出し１が格納空間４ａから引き出され、最大引き出し位置で急停止した場合の衝撃の反動によるトレー３の不本意な後退が防止されて収納品の保護を図ることが可能となる。
【００４１】
トレー３の前部に偏って着脱可能に係合されている左側係合部材５Ｌと右側係合部材５Ｒは、そのフック部５１が左右一対のガイドレール２４，２４の下端に近接して、トレー３を前後方向のスライド可能、かつ、上動を不能にガイドレール２４，２４係合していることにより、トレー３の前後方向の進退時における上動が抑制されて引出し本体２からの脱落が防止されるとともに、トレー３の後退に伴う後ろ下がりの傾きによる引出し本体２からの脱落や不本意な振動による引出し本体２からの脱落も防止できる。また、左側係合部材５Ｌと右側係合部材５Ｒをトレー３から取り外すことで、引出し本体へのトレー３の搭載および引出し本体２とトレー３との分離が容易となる。
【００４２】
図１２は、キャビネット４の引出し用レールと引出し本体２の掛合部材との関係を示す説明図であり、図１２（ａ）は右側掛合部材６Ｒの拡大正面図，図１２（ｂ）は右側引出し用レール７Ｒの拡大正面図，図１２（ｃ）は右側掛合部材６Ｒの後端側を右側引出し用レール７Ｒの先端側に組み付ける状態を説明する拡大右側面図，図１２（ｄ）は右側引出し用レール７Ｒに右側掛合部材６Ｒが組み付けられた状態を拡大して示す右側面図である。なお、左側引出し用レールの構造は右側引出し用レール７Ｒの構造と対称であるので、左側引出し用レールと前述した左側掛合部材６Ｌとの関係説明は省略し、右側引出し用レール７Ｒと前述した右側掛合部材６Ｒとの関係についてのみ説明する。
【００４３】
図１２（ａ），（ｃ）において、右側掛合部材６Ｒの上方フランジ６０には、後端側の一部を切欠して下方に折り曲げたストッパ６０ａが形成され、その後方、つまり、右側掛合部材６Ｒの後端部には、ローラ６３が水平軸まわりの回転自在にウエブ６１に取り付けられている。
【００４４】
図１２（ｂ）において、右側引出し用レール７Ｒは、アルミ合金製のみぞ形長尺材からなり、上方フランジ７０と下方フランジ７１を左に指向させた状態で、ウエブ７２を図１に示すキャビネット４の右側板４ｂ内面に前後方向に水平にのばして適宜固着されている。
【００４５】
図１２（ｃ）において、上方フランジ７０は先端側で一部が切欠され、下方フランジ７１は先端部近傍で切欠されており、その先端部上面に、ゴムなどの弾性材からなり前記右側掛合部材６Ｒのストッパ６０ａに対応する衝合体７３が載置されている。この衝合体７３の上面は、ウエブ７２の一部を切り抜いて折り曲げ形成した押圧片７４により押圧され、押圧片７４と下方フランジ７１とによる挟圧状態で固定されている。また、ウエブ７２の前端部には、ローラ７５が水平軸まわりの回転自在に取り付けられている。なお、図１２（ｃ）に示すストッパ６０ａから右側掛合部材６Ｒの後端までの距離ＬＸよりも、上方フランジ７０の切欠端から衝合体７３までの距離ＬＸ１を若干大きく設定してある。
【００４６】
図１に示すキャビネット４の格納空間４ａにトレー付き引出し１を格納する場合の右側掛合部材６Ｒと右側引出し用レール７Ｒとの関係について説明する。
図１２（ｃ）において、右側引出し用レール７Ｒにおける上方フランジ７０の切欠端から衝合体７３までの距離ＬＸ１の領域上方に、実線で示すように右側掛合部材６Ｒの後端側を対向させ、この位置から二点鎖線で示すように右側引出し用レール７Ｒに落とし込んだのち、矢印ｆ方向にトレー付き引出し１［ただし、図１２（ｃ）にはトレー付き引出し１を図示していない］を押し込むことで、図１２（ｄ）に示すように、右側掛合部材６Ｒのローラ６３は、右側引出し用レール７Ｒにおける下方フランジ７１の上面に支えられて転動するとともに、右側引出し用レール７Ｒのローラ７５は、右側掛合部材６Ｒにおける上方フランジ６０の下面を支えて転動する状態が確保され、右側引出し用レール７Ｒを案内とする右側掛合部材６Ｒの進退、つまり、図１に示すキャビネット４の格納空間４ａにトレー付き引出し１を進退させることが可能な状態となる。なお、格納空間４ａに対するトレー付き引出し１の最大引き出し位置（トレー付き引出し１の進退ストローク前端位置）は、図１２（ａ）〜図１２（ｄ）に示す右側掛合部材６Ｒのストッパ６０ａが右側引出し用レール７Ｒの衝合体７３に衝合することによって規制される。
【００４７】
前記実施例では、引出し本体２における後板２１の後端面に、磁性金属２１ｂを後端に臨ませて嵌着した衝合部２１Ｂが後方に向けて突設され、トレー３における底板３０ａ下面の後端部に、前記磁性金属２１ｂに対応する永久磁石３３ａを前端に臨ませて嵌着したストッパ３３Ａが設けられている構成で説明しているが、本発明に係るトレー付き引出し１は、磁性金属２１ｂに代えて永久磁石３３ａを衝合部２１Ｂに嵌着し、永久磁石３３ａに代えて磁性金属２１ｂをストッパ３３Ａに嵌着した構成であってもよい。
【００４８】
本発明に係るトレー付き引出し１は、前記実施例のみに限定されるものではなく、その趣旨および技術思想を逸脱しない範囲であれば構造変形が可能である。
【産業上の利用可能性】
【００４９】
本発明は、システムキッチンなどに備わるキャビネットに着脱および前後方向の進退可能に格納される引出し本体と、その上部に前後方向のスライドを可能に搭載したトレーとに、調味料容器などを種類や大きさに分別収納して使用するのに有用である。
【符号の説明】
【００５０】
１  トレー付き引出し
２  引出し本体
３  トレー
４  キャビネット
４ａ  格納空間
５Ｌ  左側係合部材
５Ｒ  右側係合部材
５０  縦片
５１  フック部
５２  係合部
２０  前板
２１  後板
２１ｂ  磁性金属
２２  左右一対の側板
２３  底板
２４  左右一対のガイドレール
２５  前端支持部
２６  後端支持部
３１ａ  踏部
３１ｂ  揺動規制部
３１ｅ  係合孔
３３ａ  永久磁石
【要約】
【課題】トレーの収納容量の拡大とスムーズな前後方向の進退が確保され、引出しの上端開口部の開度を任意の大きさに設定して保持することが容易なトレー付き引出しを提供する。
【解決手段】トレー付き引出し１は、引出し本体２とその上部に搭載したトレー３とを備える。引出し本体２は上端開口有底の角型箱からなり、その前板２０と左右一対の側板２２の後端部との間に設けられ左右方向で互いに対向し前後方向に水平にのびる左右一対のガイドレール２４を備えている。トレー３は、本体部３０の左右方向両端部下面に備わる左右一対の突条３１，３１の踏部３１ａがガイドレール２４に直接跨がって前後方向の進退を可能、かつ、左右方向の揺動規制を可能に載せられ、その前部に偏って設けた左右一対の係合部材５Ｌ，５Ｒがガイドレール２４に前後方向の進退を可能、かつ、上動を不能に係合している。
【選択図】図１【図１】
0005938128.tif 000002
【図２】
0005938128.tif 000003
【図３】
0005938128.tif 000004
【図４】
0005938128.tif 000005
【図５】
0005938128.tif 000006
【図６】
0005938128.tif 000007
【図７】
0005938128.tif 000008
【図８】
0005938128.tif 000009
【図９】
0005938128.tif 000010
【図１０】
0005938128.tif 000011
【図１１】
0005938128.tif 000012
【図１２】
0005938128.tif 000013